(57)【要約】【課題】  ダイヤルの裏面側スペースに回転検出手段等を配設できず、情報入力装置が大型化する。【解決手段】  情報入力用ダイヤル１０４の内周に情報入力用スイッチ１０５その他の部品が配設された情報入力装置において、ダイヤルの内周にて上記部品を支持する部品支持部１０８ｄとこの部品支持部よりも外径が小さくダイヤルの内周部に嵌合する軸部１０８ａとを有する内周支持部材１０８を用いるとともに、ダイヤルの内周部に、部品支持部よりも外径が小さな回転伝達部１０４ｂを設ける。【選択図】  図６
2006139788.tif 000002
【特許請求の範囲】
【請求項１】
情報入力用ダイヤルの内周に、情報入力用スイッチその他の部品が配設された情報入力装置において、
前記ダイヤルの内周にて前記部品を支持する部品支持部と、この部品支持部よりも外径が小さく前記ダイヤルの内周部に嵌合する軸部とを有する内周支持部材を備えており、
前記ダイヤルの内周部に、前記部品支持部よりも外径が小さな回転伝達部を設けたことを特徴とする情報入力装置。
【請求項２】
前記回転伝達部は、前記ダイヤルの回転を検出する手段に前記ダイヤルの回転を伝達することを特徴とする請求項１に記載の情報入力装置。
【請求項３】
前記回転伝達部は、前記ダイヤルに操作感を付与する手段に前記ダイヤルの回転を伝達することを特徴とする請求項１又は２に記載の情報入力装置。
【請求項４】
前記部品につながる配線を、前記軸部内を通したことを特徴とする請求項１から３のいずれかに記載の情報入力装置。
【請求項５】
前記部品支持部および前記ダイヤルの対向面に、環状溝とこの環状溝内に突出する環状突起とを設けたことを特徴とする請求項１から４のいずれかに記載の情報入力装置。
【請求項６】
前記部品が弾性部材を有しており、前記弾性部材を前記部品支持部に圧接させて前記部品のシールを行うことを特徴とする請求項１から５のいずれかに記載の情報入力装置。
【請求項７】
前記部品が、スイッチ操作部材とこのスイッチ操作部材を支持する弾性部材とこの弾性部材を介して前記スイッチ操作部材によりオン／オフされるスイッチ接点とを有する情報入力用スイッチであり、前記弾性部材を前記部品支持部に圧接させて前記スイッチ接点のシールを行うことを特徴とする請求項６に記載の情報入力装置。
【請求項８】
請求項１から７のいずれかに記載の情報入力装置を備えたことを特徴とする機器。
【発明の詳細な説明】
【技術分野】
【０００１】
本発明は、カメラ等の小型電子機器に用いられる情報入力装置に関するものである。
【背景技術】
【０００２】
カメラには、撮影条件等の情報を入力するためのダイヤルが取り付けられることが多く、さらにこのダイヤルの内周部に測距点の切換え等を行うためのスイッチが配設される場合もある。そして、このようなスイッチは、ダイヤルの内周部に嵌合してカメラ本体に固定された内周支持部材上に取り付けられる（例えば、特許文献１〜４参照）。
【０００３】
また、ダイヤルには、このダイヤルの回転（回転方向や回転量）を検出する手段やダイヤル操作にクリック感を付与する手段等にダイヤルの回転を伝達するギヤ部（回転伝達部）が設けられる。
【特許文献１】特開平７−３３３７０９号公報
【特許文献２】特開平７−２１９００４号公報
【特許文献３】実開昭５７−８８１２１号公報
【特許文献４】実開平７−２９５４１号公報
【発明の開示】
【発明が解決しようとする課題】
【０００４】
しかしながら、内周支持部材が、例えばスイッチが取り付けられる部分からダイヤル内周部に嵌合する部分にかけてほぼ同径で形成されていると、たとえ上記ギヤ部がダイヤルの内周部に形成されていたとしてもギヤ部の径が内周支持部材の最大径より大きくなり、このギヤ部に噛み合う回転検出手段や操作感付与手段がダイヤル外周から大きくはみ出して、情報入力装置全体が大型化してしまうという問題がある。
【０００５】
また、上記のような内周支持部材が用いられていると、内周支持部材とダイヤル内周部との嵌合部分を通って外部から水や塵が侵入し易く、回転検出手段等の動作不良を招くおそれがある。
【０００６】
そこで、本願発明は、できるだけ小型で、かつ防塵性、防滴性に優れた情報入力装置およびこれを備えた機器を提供することを目的としている。
【課題を解決するための手段】
【０００７】
上記の目的を達成するため、本願発明では、情報入力用ダイヤルの内周に情報入力用スイッチその他の部品が配設された情報入力装置において、上記ダイヤルの内周において上記部品を支持する部品支持部とこの部品支持部よりも外径が小さくダイヤルの内周部に嵌合する軸部とを有する内周支持部材を用いるとともに、ダイヤルの内周部に、部品支持部よりも外径が小さな回転伝達部を設けている。
【０００８】
すなわち、本願発明では、内周支持部材のうちダイヤル内周部に嵌合する軸部の径を部品支持部よりも小さくすることにより、ダイヤル内周部および回転伝達部の外径を部品支持部よりも小さくし、ダイヤルの裏面側スペースに回転検出手段や操作感付与手段等を配設することができるようにして、情報入力装置全体の小型化を図っている。
【０００９】
しかも、部品支持部と軸部とに径差を設けることにより、部品支持部の裏面およびダイヤルの表面（対向面）を径方向に長い範囲で対向させ、この対向面に環状溝とこの環状溝内に突出する環状突起とを設ける等することができるようにして、外部から情報入力装置内部への水や塵等の侵入を防止している。
【００１０】
なお、上記部品が情報入力用スイッチ等の電気部品である場合に、この部品につながる配線を上記軸部内に通して、ダイヤルの外径や部品支持部の外径を大きくしたりダイヤルの操作に支障を生じさせたりすることなく、また水や塵から隔離された状態で電気信号の送受を可能とするのが望ましい。
【００１１】
また、上記部品が、例えばスイッチ操作部材とこのスイッチ操作部材を支持する弾性部材とこの弾性部材を介してスイッチ操作部材によりオン／オフされるスイッチ接点とを有する情報入力用スイッチである場合に、上記弾性部材を部品装着部に圧接させてスイッチ接点のシールを行うのが望ましい。
【００１２】
そして、本願発明では、このような情報入力装置を備えることにより、小型で防滴・防塵性に優れたカメラ等の機器を実現するようにしている。
【発明の効果】
【００１３】
本願発明によれば、内周支持部材のうちダイヤル内周部に嵌合する軸部の径を部品支持部よりも小さくして、ダイヤル内周部および回転伝達部の外径を部品支持部よりも小さくしているので、ダイヤルの裏面側スペースに回転検出手段や操作感付与手段等を配設することができ、情報入力装置全体の小型化を図ることができる。
【００１４】
しかも、部品支持部と軸部とに十分な径差を設ければ、部品支持部の裏面およびダイヤルの表面（対向面）を径方向に長い範囲で対向させ、この対向面に環状溝や環状突起を設ける等することができるので、新たな部品を追加することなく外部から情報入力装置内部への水や塵等の侵入を効果的に防止することができる。
【００１５】
なお、上記部品が情報入力用スイッチ等の電気部品である場合に、この部品につながる配線を上記軸部内を通せば、ダイヤルの外径や部品支持部の外径を大きくしたりダイヤルの操作に支障を生じさせたりすることなく、また水や塵等から隔離した状態で電気信号の送受を行うことができる。
【００１６】
また、上記部品が、例えばスイッチ操作部材とこのスイッチ操作部材を支持する弾性部材とこの弾性部材を介してスイッチ操作部材によりオン／オフされるスイッチ接点とを有する情報入力用スイッチである場合に、上記弾性部材を部品装着部に密着状態で圧接させれば、新たな部品を追加することなくスイッチ接点の防滴・防塵を行うことができる。
【００１７】
そして、このような情報入力装置を備えることにより、小型で防滴・防塵性に優れたカメラ等の機器を実現することができる。
【発明を実施するための最良の形態】
【００１８】
以下、本発明の実施例について説明する。
【実施例１】
【００１９】
図１には、本発明の実施例１である情報入力装置が備えられたカメラを示している。この図において、１０１はカメラ本体であり、１０２はカメラ本体１０１の背面に取り付けられた背蓋である。また、１０３は上述の情報入力装置であり、この情報入力装置１０３は露光補正情報入力用のダイヤル１０４とこのダイヤル１０４の内周に配設された測距点選択スイッチ１０５とを有して構成されている。測距点選択スイッチ１０５は、上操作部１０５ａ、下操作部１０５ｂ、右操作部１０５ｃおよび左操作部１０５ｄを有する。
【００２０】
このように構成されたカメラは、撮影画面内に複数の測距点を有するオートフォーカスカメラであり、撮影者の手１０６によって図示のようにホールドされる。そして、撮影者が人差し指１０６ｂでカメラのレリーズスイッチ（図示せず）を操作しＳＷ１信号をカメラに入力すると、カメラは撮影準備状態となって測光およびオートフォーカスを行い、その結果をファインダー内表示装置によってファインダー内に表示する。
【００２１】
ファインダー内には、撮影画面を示す画面領域２１０があり、この画面領域２１０内には、合計１５の測距点を示す測距枠（２１１〜２１４）が表示されている。また、画面領域２１０の下側には、カメラの撮影条件を表示する条件表示領域２２０が設けられており、この条件表示領域２２０内には、シャッター秒時を示す部分２２１と、絞りを示す部分２２２と、適正露出に対するシフト量を示す指標２２３，２２４と、点灯することで合焦したことを示す部分２２５とが設けられている。
【００２２】
なお、図２は、測距点が中央の被写体２０１にかかった測距枠２１１に設定されてこの測距枠２１１が点灯し、かつこの測距枠２１１に重点を置いた測光値で設定されるシャッター秒時と絞りが条件表示領域２２０に表示された状態を示している。また、この状態では露出補正は行っておらず、指標２２４は補正量０を示している。
【００２３】
図３には、情報入力装置１０３およびファインダー内表示装置３０７に関する電気回路を示している。撮影準備中に親指１０６ａによってダイヤル１０４が回転操作されると、後述する端子１１６，１１７からダイヤル信号１およびダイヤル信号２が出力される。
【００２４】
ダイヤル信号１およびダイヤル信号２はアップダウンカウンター３０３に入力され、このカウンター３０３のカウンター値を変化させる。そして、変化したカウンター値は信号入力回路３０４を介してＣＰＵ３０５に入力され、ＣＰＵ３０５は、露出条件をプラス補正又はマイナス補正するかおよびどの程度補正するかを判断する。また、ＣＰＵ３０５は、上記判断結果に基づいて表示駆動回路３０６に信号を送り、ファインダー内表示装置３０７における表示部分２２１，２２２，２２３，２２４の表示を変える。
【００２５】
一方、親指１０６ａによって測距点選択スイッチ１０５のうち上操作部１０５ａが操作されると後述するゴムスイッチ１０５ｊの接点部５０５ａを通じてアップ信号が出力され、下操作部１０５ｂが操作されると接点部５０５ｂを通じてダウン信号が出力される。また、右操作部１０５ｃが操作されると接点部５０５ｃを通じてライト信号が出力され、左操作部１０５ｄが操作されると接点部５０５ｄを通じてレフト信号が出力される。アップ〜レフト信号は信号入力回路３０４を介してＣＰＵ３０５に入力され、ＣＰＵ３０５はアップ〜レフト信号に基づいて測距点を現在の位置から各信号に対応する方向にどの程度移動させるかを判断する。そして、ＣＰＵ３０５は上記判断結果に基づいて表示駆動回路３０６に信号を送り、ファインダー内表示装置３０７に移動先の測距枠を点灯表示させる。図４には、図２に示す状態においてダイヤル１０４を露出補正マイナス１段分回転操作して、条件表示領域２２０のうち表示部分２２２，２２４の表示が変わった状態を示している。また、図４は、図２に示す状態において測距点選択スイッチ１０５のうち上操作部１０５ａを１回操作するとともに右操作部１０５ｃを２回操作して、測距枠２１４が点灯した状態を示している。
【００２６】
このようにして露出補正量の設定および測距点の設定を行った後、撮影者が人差し指１０６ｂによってレリーズスイッチ（図示せず）を操作し、ＳＷ２信号を入力することにより、カメラは露光動作を行う。なお、本カメラでは、通常は中央の測距枠２１１に測光の重点を固定し、測距点のみを移動させて露光動作を行うが、外部操作等により測光重点を測距点の移動先に移動させて露光動作を行わせることも可能である。
【００２７】
次に、図５〜図７を用いて情報入力装置１０３について詳しく説明する。ダイヤル１０４は円盤状に形成されており、表面側外周部には操作時の滑り止めのためのローレット部１０４ａが形成されている。また、ダイヤル１０４の内周部には表面側から裏面側にかけて貫通する嵌合穴部１０４ｃが形成されており、裏面側内周部（嵌合穴部１０４ｃの外側）には外歯ギヤ部（請求の範囲にいう回転伝達部）１０４ｂが形成されている。
【００２８】
１０８は受け台（請求の範囲にいう内周支持部材）であり、この受け台１０８は、円盤状に形成され、表面に測距点選択スイッチ１０５等が取り付けられる台部（請求の範囲にいう部品支持部）１０８ｄと、この台部１０８ｄの径方向中央から裏面側に延びる中央軸部１０８ａとを有して構成されている。中央軸部１０８ａはダイヤル１０４の嵌合穴部１０４ｃに嵌合し、その端部は背蓋１０２に形成されたざぐり部１０２ｂに嵌合して位置決めされ、ビス１１０によって背蓋１０２に固定される。これによりダイヤル１０４は、背蓋１０２の表面と受け台１０８の台部１０８ｄの裏面との間のスペースに配設され、中央軸部１０８ａ回りで回転自在に保持される。
【００２９】
台部１０８ｄの裏面には環状の溝および突起が交互に同心状に形成されており、ダイヤル１０４の径方向中間部分の表面（台部１０８ｄの裏面に対向する面）には、台部１０８ｄの溝内に突出する環状突起１０４ｊ，１０４ｌおよび台部１０８ｄの突起が突出する環状溝１０４ｉ，１０４ｋ，１０４ｍが同心状に形成されている。また、背蓋１０２の表面には環状の溝および突起が交互に同心状に形成されており、ダイヤル１０４の径方向中間部の裏面（背蓋１０２の表面に対向する面）には、背蓋１０２の溝内に突出する環状突起１０４ｄ，１０４ｆ，１０４ｈおよび背蓋１０２の突起が突出する環状溝１０４ｅ，１０４ｇが同心状に形成されている。
【００３０】
このため、外部からダイヤル１０４の表面と台部１０８ｄの裏面との間の隙間（表面側隙間）およびダイヤル１０４の裏面と背蓋１０２の表面との間の隙間（裏面側隙間）を通って内周部に水やゴミ等が侵入するのを防ぐことができる。しかも、ダイヤル１０４の嵌合穴部１０４ｃの内周面と受け台１０８の中央軸部１０８ａとの外周面とが嵌合しているため、たとえ表面側隙間に水等が侵入しても、ここから裏面側隙間内に水等が侵入することはない。
【００３１】
このように、受け台１０８の台部１０８ｄの外径に対して中央軸部１０８ａの外径を小さくし、かつ両者間の径差をできるだけ大きくとることにより、環状溝および環状突起を径方向に複数段形成することができるので、内部機構に対する防塵性、防滴性を高めることができる。
【００３２】
また、操作力を受けるダイヤル１０４の外周部と回転時に中央軸部１０８ａとの摺動摩擦力を受ける嵌合穴部１０４ｃとに十分な径差があるため、ダイヤル操作時に撮影者に嵌合穴部１０４ｃでの摩擦を感じさせにくく、操作感を良くすることができる。
【００３３】
さらに、本実施例では、ダイヤル１０４の環状溝１０４ｉ内に環状溝１０４ｎが形成され、背蓋１０２におけるダイヤル１０４の環状突起１０４ｄに対向する環状溝内に環状溝１０２ｅが形成されている。これにより、表面側隙間および裏面側隙間に侵入しようとするゴミ、砂等の多くが環状溝１０４ｎ，１０２ｅに落ち込むため、これらゴミ等の表面側隙間および裏面側隙間への侵入自体を効果的に防止することができる。
【００３４】
測距点選択スイッチ１０５は、円盤状に形成されたゴムスイッチ部１０５ｊと、このゴムスイッチ部１０５ｊの表面に取り付けられ、ゴムスイッチ部１０５ｊの弾性で支持されるキートップ部１０５ｉとを有して構成される。ゴムスイッチ部１０５ｊの裏面における各操作部１０５ａ〜１０５ｄに対応する位置にはそれぞれ、導電性を有した接点５０５ａ〜５０５ｄが設けられている（図６では接点５０５ａ，５０５ｂは不図示）。また、ゴムスイッチ部１０５ｊの裏面における径方向中央には、突起１０５ｌが形成されており、不用意にキートップ部１０５ｉの中央部が押されても接点５０５ａ〜５０５ｄが同時に後述するフレキシブルプリント基板１０７に接触しないようにしている。
【００３５】
一方、キートップ部１０５ｉは、親指１０６ａによる操作感を高めるため、所定の硬度を有する合成樹脂で形成されている。さらに、キートップ部１０５ｉにおける操作面には凹凸が設けられており、親指１０６ａの触感で押圧操作方向が認識可能とし、滑り止めの役割も兼ねている。これにより、品位の高い優れた操作感を実現している。
【００３６】
また、台部１０８ｄの表面には、両面フレキシブルプリント基板１０７が取り付けられており、ゴムスイッチ部１０５ｊの外周部裏面がこのフレキシブルプリント基板１０７の表面に密着している。ゴムスイッチ部１０５ｊの外周部表面には環状のシール突起１０５ｋが形成されており、ゴムスイッチ部１０５ｊの外周部全周が、このシール突起１０５ｋに嵌合する環状溝部１０６ａを有した押さえ環１０６によってプリント基板１０７の外周部表面に密着した状態で圧接させられ、さらにプリント基板１０７の外周部裏面が台部１０８ｄに密着状態で圧接させられている。このため、測距点選択スイッチ１０５や押さえ環１０６の周囲からプリント基板６０７の表面側や裏面側への水やゴミ等の侵入を防止することができる。なお、押さえ環１０６は台部１０８ｄに係止固定される。
【００３７】
プリント基板６０７の表面のうちゴムスイッチ部１０５ｊに設けられた接点５０５ａ〜５０５ｄに対向する位置には、図１０に示すように接点パターン部１０７ａ，１０７ｂ，１０７ｃ，１０７ｄが形成されている。各接点パターン部１０７ａ〜１０７ｄは、信号パターン１０７ｆ，１０７ｇ，１０７ｈ，１０７ｉとＧＮＤパターン１０７ｅとから構成されており、キートップ部１０５ｉが操作されてゴムスイッチ部１０５ｊが弾性変形し、接点５０５ａ〜５０５ｄが信号パターン１０７ｆ〜１０７ｉとＧＮＤパターン１０７ｅとに接触することにより両パターンが導通する。なお、ゴムスイッチ部１０５ｊには環状の外周部近傍には環状のテーパ部１０５ｍが設けられており、キートップ部１０５ｉの操作時にクリック感を出すようになっている。
【００３８】
フレキシブルプリント基板１０７の裏面には、図１０に点線で示すように、各信号パターン１０７ｆ〜１０７ｉおよびＧＮＤパターン１０７ｅに導通するリード線半田付け用パッド１０７ｍ，１０７ｎ，１０７ｐ，１０７ｑ，１０７ｒが形成されている。
【００３９】
図６および図７に示すように、受け台１０８の中央軸部１０８ａには、周方向２箇所に繭形状のリード線穴１０８ｂ，１０８ｃが軸方向に延びて形成されている。また、背蓋１０２における上記リード線穴１０８ｂ，１０８ｃに対応する位置にもリード線穴１０２ｃ，１０２ｄが形成されており、これらリード線穴１０８ｂ，１０８ｃ，１０２ｃ，１０２ｄには、フレキシブルプリント基板１０７のパッド部１０７ｍ〜１０７ｒに接続されたリード線群１０９ａ，１０９ｂが通されている。そして、背蓋１０２の裏側に延びたリード線群１０９ａ，１０９ｂは背蓋１０２の裏側に取り付けられた回路基板（不図示）に接続され、カメラの実装部を経て図３に示した信号入力回路３０４に接続されている。
【００４０】
このようにダイヤル１０４の内周部分に配設された測距点選択スイッチ１０５の信号伝達用リード線を中央軸部１０８ａ内を通して背蓋１０２の裏側に延ばすことにより、リード線群１０９ａ，１０９ｂの存在によってダイヤル１０４の外径が大きくなったりダイヤル１０４の回転が妨げられたりすることがない。しかも、プリント基板１０７が台部１０８ｄに密着し、中央軸部１０８ａが背蓋１０２のざぐり部１０２ｂに嵌合しているため、中央軸部１０８ａ内には外部からの水やゴミ等が侵入することがないので、新たな部品を追加することなくリード線群１０９ａ，１０９ｂや背蓋１０２の裏側の回路基板の防滴性、防塵性を確保することができる。
【００４１】
背蓋１０２には、ざぐり部１０２ｂの周囲部分の一部とダイヤル１０４のギヤ部１０４ｂの周囲部分の一部を切り欠いて回転伝達スペース１０２ｆが形成されており、この回転伝達スペース１０２ｆには、ギヤ部１０４ｂに噛合するギヤ１２０とこれと一体回転するクリック板１２１および位相基板１２２とが配設されている。これらギヤ１２０，クリック板１２１および位相基板１２２は、背蓋１０２の裏面に形成された軸部１０２ｇに回転可能に嵌合しており、背蓋１０２の裏面に取り付けられた裏蓋１１９によって軸方向の抜け止めがなされている。
【００４２】
クリック板１２１および位相基板１２２はギヤ１２０の軸部付近の二方取り部分でこれと結合している。なお、本実施例では、ダイヤル１０４の回転角１２ｄｅｇで１／２段の露出補正を行えるように、ダイヤル１０４のギヤ部１０４ｂの歯数とギヤ１１０の歯数とを同じ１０歯としている。但し、ダイヤル１０４のギヤ部１０４ｂとギヤ１１０の歯数比を変えることで、１／２段の露出補正を行うためのダイヤル１０４の回転角を変えることが可能である。クリック板１２１は、図７に示すように、外周部全周にわたって所定ピッチで形成された１２個の凸部１２１ａを有する。背蓋１０２の裏面におけるクリック板１２１の側方には、プラスチック樹脂製のホルダー１１８が配設されており、このホルダー１１８には、バネ１２４によってクリック板１２１に圧接するよう付勢されたクリックボール１２３が取り付けられている。
【００４３】
位相基板１２２の裏面（ギヤ１２０に対向する面と反対側の面）にパターンが形成されている。このパターンは、環状の内周パターン部１２２ａと、この内周パターン部１２２ａから径方向外方に延び、クリック板１２１の凸部１２１ａと同様に所定ピッチで１２個形成された分割パターン部１２２ｄとから構成されている。なお、各分割パターン部１２２ｄは、内周パターン部１２２ａのすぐ外側に形成された中間部１２２ｂと、この中間部１２２ｂの外側に、中間部１２２ｂに対して位相をずらして形成された外周部１２２ｃとから構成されている。
【００４４】
内周パターン部１２２ａおよび分割パターン部１２２ｄの中間部１２２ｂには、グランド端子１１５の接片１１５ａ，１１５ｂがそれぞれ接触している。また、グランド端子１１５の接片１１５ａが接触する中間部１２２ｂとは異なる位相の中間部１２２ｂにはダイヤル信号１用端子１１６の接片１１６ａが接触しており、この接片１１６ａが接触する中間部１２２ｂの外側の外周部１２２ｃには、ダイヤル信号２用端子１１７の接片１１７ａが接触している。これら端子１１５，１１６，１１７は上記ホルダー１１８に保持されており、これら端子１１５，１１６，１１７の基端部１１５ｃ，１１６ｂ，１１７ｂは、前述した背蓋回路基板を介して図３に示した信号入力回路３０４に接続されている。
【００４５】
このように、ダイヤル１０４のギヤ部１０４ｂの外径を受け台１０８の外径に対して小さくすることにより、背蓋１０２の裏面側におけるダイヤル１０４の外周よりも内側にギヤ１２０，クリック板１２１および位相基板１２２を配設することが可能となる。したがって、この情報入力装置１０３の小型化を図ることができる。
【００４６】
また、ダイヤル１０４の回転のギヤ１２０への伝達を、背蓋１０２に設けた最小限の切り欠き（開口）１０２ｆ内で行うようにしているので、クリック板１２１や位相基板１２２等に対する防滴、防塵効果に優れている。
【００４７】
なお、ダイヤル１０４のギヤ部１０４ｂとギヤ１２０との噛合い部は、ギヤ部１０４ｂの噛合いピッチ円上であればどの位置でもよい。また、ホルダー１１８も、位相基板６１２に対する各端子１１５，１１６，１１７の接触位置が適正であれば、位相基板６１２の回転軸に対してどの位置に配設してもよい。このように背蓋１０２の裏面側におけるダイヤル１０４の外周より内側のスペースの状況に応じて各部品をレイアウトすることができるので、設計の自由度が極めて高く、従来と同様な構成の背蓋に情報入力装置１０３を搭載することが可能である。次に、ダイヤル１０４の操作に伴う情報入力装置１０３の動作について説明する。撮影者が親指１０６ｃによってダイヤル１０４を回転操作させると、ギヤ部１０４ｂの回転がこれに噛合するギヤ１２０に伝達され、このギヤ１２０と一体にクリック板１２１が回転する。クリック板１２１が回転すると、その外周の凸部１２１ａがクリックボール６１３を進退させ、スプリング１２４の付勢力を変化させる。この付勢力の変化が回転トルクの変化としてダイヤル１０４に伝わり、撮影者の親指１０６ｃにクリック感として伝わる。
【００４８】
なお、ダイヤル１０４を操作しないときは、クリックボール１２３が凸部１２１ａの間の凹部分に入り込んでクリック板１２１、ギヤ１２０およびダイヤル１０４の回転を係止する。
【００４９】
図７に示す状態では、グランド端子１１５とダイヤル信号１用端子１１６とダイヤル信号２用端子１１７が全てパターンに接しているため、アップダウンカウンター３０３に入力されるダイヤル信号１およびダイヤル信号２は、グランドレベルのＬＯＷである。ダイヤル１０４が図７中Ｅ方向に回転操作されて位相基板１２２がＥ′方向に回転すると、図８に示すようにダイヤル信号１およびダイヤル信号２が変化し、また、ダイヤル１０４が図７中Ｆ方向に回転操作されて位相基板１２２がＦ′方向に回転すると、図９に示すようにダイヤル信号１およびダイヤル信号２が変化する。
【００５０】
ダイヤル信号１およびダイヤル信号２が入力されるアップダウンカウンター３０３は、ダイヤル信号１とダイヤル信号２のどちらが先にＨｉになったかでダイヤル１０４の回転方向を検出し、検出結果を信号入力回路３０４を介してＣＰＵ３０５に伝える。ＣＰＵ３０５は、位相基板１２２がＥ′方向に回転したと検出されたとき（図８の順序でダイヤル信号が入力されたとき）はプラスの露出補正を行い、位相基板１２２がＦ′方向に回転したと検出されたとき（図９の順序でダイヤル信号が入力されたとき）はマイナスの露出補正を行う。
【００５１】
また、アップダウンカウンター３０３は、ダイヤル信号１およびダイヤル信号２のパルス量をカウントすることによりダイヤル１０４の回転量を検出し、検出結果を信号入力回路３０４を介してＣＰＵ３０５に伝える。ＣＰＵ３０５は、ダイヤル信号１およびダイヤル信号２がそれぞれ１パルス、つまりクリック板１２１の凸部１２１ａ１個分（すなわち１クリック分）の回転量当たり、１／２段の露出補正を行う。
【００５２】
次に、測距点選択スイッチ１０５の操作に伴う情報入力装置１０３の動作について説明する。撮影者が親指１０６ｃによってキートップ部１０５ｉを押すと、図１１に示すように、中央突起１０５ｌを支点としてキートップ部１０５ｉおよびゴムスイッチ部１０５ｊが傾く。図１１はキートップ部１０５ｉ（測距点選択スイッチ１０５）の右操作部１０５ｃが押された場合を示しており、この場合は接点５０５ｃがフレキシブルプリント基板１０７の接点パターン部１０７ｃに接触し、ＧＮＤパターン１０７ｅと右信号パターン１０７ｈを導通させる。これにより、信号入力回路３０４のライト信号がグランドレベルになり、ＣＰＵ３０５は図２に示す点灯する測距枠２１１を右方の測距枠２１２に移動させる。
【００５３】
同様にして測距点選択スイッチ１０５の上操作部１０５ａ、下操作部１０５ｂ、左操作部１０５ｄが押されると、点灯する測距枠がそれぞれの方向に対応した測距枠に移動する。なお、点灯する測距枠を同方向に複数個移動させる場合は、一旦測距点選択スイッチ１０５の操作を止めて再度同じ操作部を操作するか、所定時間以上測距点選択スイッチ１０５の同じ操作部を押し続けるかすればよい。また、例えば測距点選択スイッチ１０５の上操作部１０５ａと右操作部１０５ｂの中間が押されると、ゴムスイッチ部１０５ｊの接点５０５ａ，５０５ｂの両方がプリント基板１０７の接点部１０７ａ，１０７ｂに接触する。これにより、アップ信号とライト信号がグランドレベルになって、ＣＰＵ３０５は点灯する測距枠を右上方の測距枠に移動させる。
【００５４】
以上説明したように、本実施例によれば、露出補正用のダイヤル１０４と測距点選択用のスイッチ１０５とを一体化した情報入力装置１０３を従来よりも小型化することができるので、情報入力装置１０３をカメラに搭載することが可能となる。したがって、撮影者が撮影準備中に露出補正や測距点選択の２つの撮影条件変更を瞬時に容易に行え、かつ操作性および操作感の良いカメラを実現することができる。
【００５５】
また、情報入力装置１０３の防滴、防塵性を向上させることができるので、過酷な使用条件下でも、情報入力装置１０３の機能不良を発生することなく、高い信頼性を有するカメラを実現することができる。
【００５６】
なお、上記実施例では、ダイヤルの内周にスイッチを配設した情報入力装置について説明したが、本発明は、ダイヤルの内周に情報表示パネル等を配設した情報入力装置にも適用することができる。
【００５７】
また、上記実施例では、カメラに備えられた情報入力装置について説明したが、本発明はカメラ以外の光学機器や光学機器以外の電子機器に備えられた情報入力装置にも適用することができる。
【図面の簡単な説明】
【００５８】
【図１】本発明の実施例１であるカメラの背面図である。
【図２】上記カメラのファインダー内を示す図である。
【図３】上記カメラの電気回路のブロック図である。
【図４】上記カメラのファインダー内を示す図である。
【図５】上記カメラの情報入力装置の正面図である。
【図６】上記情報入力装置の側面断面図（図５のＡ−Ａ線断面図）である。
【図７】上記情報入力装置の背面図である。
【図８】上記情報入力装置から出力されるダイヤル信号の概念図である。
【図９】上記情報入力装置から出力されるダイヤル信号の概念図である。
【図１０】上記情報入力装置のフレキブルプリント基板のパターン図である。
【図１１】上記情報入力装置の操作時の側面断面図である。
【符号の説明】
【００５９】
１０１ カメラ本体
１０２ 背蓋
１０３ 情報入力装置
１０４ ダイヤル
１０４ｂ ギヤ部
１０５ 測距点選択スイッチ
１０７ フレキシブルプリント基板
１２０ ギヤ
１２１ クリック板
１２２ 位相基板
１２３ クリックボール
１１５ グランド端子
１１６，１１７ ダイヤル信号用端子
【図１】
2006139788.tif 000003
【図２】
2006139788.tif 000004
【図３】
2006139788.tif 000005
【図４】
2006139788.tif 000006
【図５】
2006139788.tif 000007
【図６】
2006139788.tif 000008
【図７】
2006139788.tif 000009
【図８】
2006139788.tif 000010
【図９】
2006139788.tif 000011
【図１０】
2006139788.tif 000012
【図１１】
2006139788.tif 000013